(57)【要約】【課題】  従来の消音器付き機器は、基体本体内に組付けた消音器とかサイレンサを、一体化した構造である。本発明の「空気排出口に消音器を付設したエアファン」と対比すると、エアファンの空気排出口での騒音低下、即ち、エアファンの低騒音化を図るものとは、異なる。また、消音器付きで、かつコンプレッサ駆動のエアファンの消音器に関しての説明は見当たらない。【解決手段】  本発明は、コンプレッサに繋ぐエアファンのサイレンサを囲繞する消音器において、  消音器は、筐体と、筐体の入口に設けた空気排出口に繋ぐサイレンサと、筐体に内装した吸音材と、で構成し、消音器の吸音材囲繞の空間に、サイレンサを配置する。従って、引火性が危惧される分野で使用するエアファンの低騒音化が図れる。【選択図】      図５
2019074650.tif 000002
【特許請求の範囲】
【請求項１】
エアファンのサイレンサを囲繞する消音器において、
この消音器は、筐体と、この筐体に設けた前記サイレンサを受入れる入口と、当該筐体に内装した吸音材と、で構成し、
前記吸音材で、前記サイレンサを囲繞し、このサイレンサの消音を助成可能としたことを特徴とするエアファンの消音器。
【請求項２】
前記吸音材は、前記筐体の内壁面に設けた樹脂製の第１吸音材と、この第１吸音材に内設したアルミ製多孔質でなる第２吸音材とで構成したことを特徴とする請求項１に記載のエアファンの消音器。
【請求項３】
前記筐体は、前記空気排出口からの排気を抵抗なく受け入れる空間を形成し、この空間の中心に前記サイレンサが位置するとともに、前記第１・第２吸音材を上底でカットして、前記筐体底部の内壁面と同形とした開放空間を設ける構成としたことを特徴とする請求項２に記載のエアファンの消音器。
【請求項４】
前記筐体は、方形形状、円形形状、又は下向き・上向き拡開形状の何れか、一つとしたことを特徴とする請求項１〜３に記載のエアファンの消音器。
【請求項５】
前記筐体は、前記エアファンの後部であって、かつ軸心の下方に、吊下げ支持したことを特徴とする請求項１〜４に記載のエアファンの消音器。
【発明の詳細な説明】
【技術分野】
【０００１】
本発明は、エアファンの消音器（コンプレッサ駆動の送風機の消音器）に関し、エアファンの排気音減少を図ることを意図する。
【背景技術】
【０００２】
エアファンは、例えば、引火性が危惧される分野での使用がある。このように、必要不可欠な箇所での使用態様であって、特殊な機種である。例えば、この分野における、エアファンの動力として、コンプレッサによる圧縮空気を使用するので、騒音の問題があり、当然に、低騒音が要求される。
【０００３】
また、その他として、例えば、鋳物・アルミダイキャスト製品の冷却、塗装の乾燥、洗浄後の部品乾燥、建材・紙製品の乾燥等の如く、冷却・乾燥の分野とか、また、切削工程で発生するオイルミストが漂う作業空間で使用することができるので、工場内の空気を効率よく誘導するオイルミスト対策の分野の如く、工場サイトでの採用である。そして、工場サイト以外では、例えば、作業現場における、暑熱対策分野で、大きな羽根で広範囲に風を送るため効果的な暑熱対策ができ、作業環境の改善とか、或いは、排気ガスの除去分野で、配送センターなどの排気ガスが発生する場所では屋外又は排気装置に排気ガスを誘導し、作業環境の改善を図る。更には、粉塵対策分野で、粉塵が発生する環境下においても、工場の開口部に向けて送風を行うことにより空気の浄化を図る。
【０００４】
そして、これに関する先行文献としては、例えば、文献（１）として、特開昭４９−１１６６９２号公報（空気グラインダーにおける消音装置）であって、エアグラインダーやエアくぎ打ち機などのエア工具（エアツール）の消音装置は昭和４９年において公知であり、消音装置と消音機構が解説されている。本体から横に突き出る形の消音筒が記載されている。また、文献（２）としては、特開平０７−０４２６９９号公報（送風機の消音装置）であって、消音装置として筒状のケースが開示されている。送風機が電動駆動かエア駆動かの記述はない。また，消音材はポリウレタンなどの多孔性合成樹脂である。「単独に又は送風機などに組み込まれ」との記述がある。そして、文献（３）として、特開平０７−３１４３１６号公報（エアモータの排気機構）であって、エアモータの出力性能及び消音器の消音性能を良好な状態に維持する排気機構に力点が置かれていて，速度調整機構が開示されている。即ち、エアグラインダーであるので筒状の消音器は本体ケースと合体する構造である。また、文献（４）は、特公平０４−０１３１４２号公報（金属多孔質材およびその製造方法）であって、ＡＩ系エクスパンションとＡＩ系金属繊維層との積相体の構造である。
【先行技術文献】
【特許文献】
【０００５】
【特許文献１】特開昭４９−１１６６９２号公報
【特許文献２】特開平０７−０４２６９９号公報
【特許文献３】特開平０７−３１４３１６号公報
【特許文献４】特公平０４−０１３１４２号公報
【発明の概要】
【発明が解決しようとする課題】
【０００６】
以上の文献（１）〜文献（４）は、基体本体と、この基体本体内に組付けた消音器とかサイレンサを、一体化した構造である。従って、本発明の構造である、「空気排出口に消音器を付設するエアファン」では、このエアファンのサイレンサで発生する騒音低下、即ち、低騒音化を図るものとは、異なる。また、文献（１）〜文献（４）には、エアファンの消音器（コンプレッサ駆動のエアファンの消音器）に関しての説明は見当たらない。
【課題を解決するための手段】
【０００７】
本発明は、サイレンサでは達成できない低騒音化を、消音器で処理し、エアファンの低騒音化を図る。その為に、本発明のエアファンの空気排出口の配管に付設した消音器は、筐体のサイレンサを受入れる入口と、この筐体に内装した吸音材と、この吸音材で、サイレンサを囲繞することを特徴とする。その好ましい構成は、請求項１−５に示している。
【発明の効果】
【０００８】
請求項１では、エアファンのサイレンサを囲繞する消音器において、
消音器は、筐体と、筐体に設けたサイレンサを受入れる入口と、筐体に内装した吸音材と、で構成し、
吸音材で、サイレンサを囲繞し、サイレンサの消音を助成可能としたエアファンの消音器である。
【０００９】
従って、請求項１は、引火性が危惧される分野での使用ができ、かつ低騒音化が期待できる。同様に、前述の、例えば、鋳物・アルミダイキャスト製品の冷却、塗装の乾燥、洗浄後の部品乾燥、建材・紙製品の乾燥等の如く、冷却・乾燥の分野とか、また、切削工程で発生するオイルミストが漂う作業空間で使用することができるので、工場内の空気を効率よく誘導するオイルミスト対策の分野、更には、例えば、作業現場における、暑熱対策分野、配送センターなどの排気ガスが発生する場所では屋外又は排気装置に排気ガスを誘導する分野、粉塵対策分野で、粉塵が発生する環境分野での使用が図れる有益性と、併せて低騒音化が図れることで、例えば、作業環境の改善に有益性がある。また、サイレンサでは達成できない消音を、消音器で処理し、エアファンの低騒音化を図ることを特徴とする。
【００１０】
請求項２では、吸音材は、筐体の内壁面に設けた樹脂製の第１吸音材と、第１吸音材に内設したアルミ製多孔質でなる第２吸音材とで構成したエアファンの消音器である。
【００１１】
従って、請求項２は、請求項１の低騒音化と、有益性とが達成でき、かつ請求項１の達成に最適な構造の吸音材を提供できる。
【００１２】
請求項３では、筐体は、空気排出口からの排気を抵抗なく受け入れる空間を形成し、空間の中心にサイレンサが位置するとともに、第１・第２吸音材を上底でカットして、筐体底部の内壁面と同形とした開放空間を設ける構成としたエアファンの消音器である。
【００１３】
従って、請求項３は、請求項１の低騒音化と、有益性とが達成でき、かつ請求項２の達成に最適な構造の筐体の構造と、筐体にサイレンサを配備する部位、及び第１・第２吸音材吸音材の構造とを提供できる。
【００１４】
請求項４では、筐体は、方形形状、円形形状、又は下向き・上向き拡開形状の何れか、一つとしたことを特徴とするエアファンの消音器である。
【００１５】
従って、請求項４は、請求項１の低騒音化と、有益性とが達成でき、かつ請求項１の達成に最適な筐体の構造を提供できる。
【００１６】
請求項５では、筐体は、エアファンの後部であって、かつ軸心の下方に、吊下げ支持したことを特徴とするエアファンの消音器である。
【００１７】
従って、請求項５は、請求項１の低騒音化と、有益性とが達成でき、かつ請求項１の達成に最適な筐体の構造を提供できる。
【図面の簡単な説明】
【００１８】
【図１】本発明に最適なエアファンの消音器の全体を示した背面図
【図２】本発明に最適なエアファンの消音器の全体を示した正面図
【図３】本発明に最適なエアファンの消音器の全体を示した右側面図
【図４】本発明に最適なエアファンの消音器の空気圧調質器全体を示した拡大側面図
【図５】本発明に最適な消音器の全体を拡大して示した側面視してなる断面図
【図６】本発明に最適な消音器の吸音材の要部の拡大断面図
【図７】本発明に最適な消音器の全体を拡大して示した平面視してなる断面図
【図８−１】本発明のエアファンを冷却・乾燥に利用した一例を示した正面図
【図８−２】本発明のエアファンをオイルミスト対策に利用した一例を示した正面図
【図８−３】本発明のエアファンを排気ガスの除去に利用した一例を示した正面図
【図８−４】本発明のエアファンを防塵対策に利用した一例を示した正面図
【図８−５】本発明のエアファンを暑熱対策に利用した一例を示した正面図
【発明を実施するための形態】
【００１９】
以下、本発明の好ましい、実施例を説明する。
【００２０】
図１−図３に示したエアファンＡ（コンプレッサのエアで駆動するファン）の全体構造の一例（以下の構成部品の配置箇所）を説明すると、台車１に載架された送風機２と、送風機２の周面２ａに配備したコンプレッサ（図示しない）に一端を繋ぐ第１配管Ｂ１の他端を繋ぐ空気圧調質器３と、空気圧調質器３の空気吸込口５（空気供給口）と、この空気圧調質器３の混合空気排出口６と、を備えている。尚、前記空気圧調質器３には、例えば、エアフィルタのユニット３０と、ルブリケータのユニット３１（潤滑油を霧化して添加する機器）と、レギュレータのユニット３２とを備えている。これらの複数のユニットが適宜組み合わされ、空気圧用調質器結合ユニットとなっている。
【００２１】
そして、空気排出口６に一端を繋いだ第２配管Ｂ２の他端はエアモータ７に繋がれている。このエアモータ７の出力軸にはファン８を軸支する。
【００２２】
前記エアモータ７に一端を繋いた第３配管Ｂ３の他端には、後述する消音器１０が支持されている。
【００２３】
そこで、消音器１０の好ましい一例を説明すると、消音器１０は、エアファンＡの後部（後方）に設けられた、例えば、方形形状、円形形状、三角形状、楕円形状等の適宜の形状でなる筐体１１と、筐体１１の天板１１ａに設けた（差入れた）サイレンサ１２と、筐体１１に内装した吸音材１３と、で構成されている。筐体１１の底面１１ｂの内壁面１１ｃと同形状の開放空間１１００を形成し、サイレンサ１２からの排気を、広い空間に吐き出し、騒音発生の抑止とする。そして、サイレンサ１２は、エアモータ７に設けた第３配管Ｂ３に繋がれるとともに、例えば、前述の如く、消音器１０を支持することとなる。
【００２４】
また、吸音材１３は、筐体１１の内壁面１１ｃに設けた樹脂製の第１吸音材１３００と、この第１吸音材１３００に内設したアルミ製多孔質でなる第２吸音材１３０１とで構成してなり、この吸音材１３は筐体１１の天板１１ａから、底面１１ｂに対して上底１１ｂ１となった位置までとし、上底１１ｂ１の下側の底部１１ｂ２に開放空間１１００の部屋（内壁面で囲繞されたエリアである）を形成し、サイレンサ１２からの排気空気の拡散を図ること、及び／又は、消音に役立てること等を意図する。尚、第２吸音材１３０１の、少なくとも、内壁面に、凹凸、スリット、又は溝等により、変化をもたらすことで、低騒音化に寄与できる。
【００２５】
サイレンサ１２は、吸音材１３で囲われたエリアで、かつこの吸音材１３の深さ方向の中間位置まで設けることと、吸音材１３との間に緩衝用の空間２０を形成する。この空間２０は、騒音の共鳴するエリアとして役立つことが考えられる。
【００２６】
続いて、空気の流れを説明すると、コンプレッサからの高圧空気は、第１配管Ｂ１を流れ、空気圧調質器３に到る。この空気圧調質器３で、オイルが添加されて、混合空気が生成されると、第２配管Ｂ２を経由し、エアモータ７に送られる。この混合空気の働きで、エアモータ７が回転して、ファン８が回転する。一方、働きを終えた混合空気は、第３配管Ｂ３より消音器１０に到る。この消音器１０内で消音達成と拡散を助成し、低騒音化に役立てる。
【００２７】
以上、本発明の好ましい実施形態について説明したが、本発明は係る特定の実施形態に限定されるものではなく、本発明には、特許請求の範囲に記載された発明とその均等の範囲とが含まれる。
【符号の説明】
【００２８】
Ａ  エアファン
Ｂ１  第１配管
Ｂ２  第２配管
Ｂ３  第３配管
１  台車
２  送風機
２ａ  周面
３  空気圧調質器
３０  エアフィルタのユニット
３１  ルブリケータのユニット
３２  レギュレータのユニット
５  空気吸込口
６  混合空気排出口
７  エアモータ
８  ファン
１０  消音器
１１  筐体
１１ａ  天板
１１ｂ  底面
１１ｂ１  上底
１１ｂ２  底部
１１ｃ  内壁面
１１００  開放空間
１２  サイレンサ
１３  吸音材
１３００  第１吸音材
１３０１  第２吸音材
２０  空間
【図１】
2019074650.tif 000003
【図２】
2019074650.tif 000004
【図３】
2019074650.tif 000005
【図４】
2019074650.tif 000006
【図５】
2019074650.tif 000007
【図６】
2019074650.tif 000008
【図７】
2019074650.tif 000009
【図８−１】
2019074650.tif 000010
【図８−２】
2019074650.tif 000011
【図８−３】
2019074650.tif 000012
【図８−４】
2019074650.tif 000013
【図８−５】
2019074650.tif 000014